(57)【要約】【課題】電子機器用筐体の品質を向上可能な、電子機器用筐体の形状矯正構造を提供する。【解決手段】電子機器用筐体１の形状矯正構造は、側壁部２２と底部２１とを有し、且つ底部２１と対向する天井部が開放された樹脂成形品である筐体本体２の側壁部２２に形成される切り欠き部２４と、切り欠き部２４の少なくとも一部を塞ぐ蓋本体３１と、筐体本体２における切り欠き部２４の対向する二辺に沿って設けられ、蓋本体３１の端部がスライド挿入される案内部２３と、蓋本体３１に設けられ、蓋本体３１の端部が案内部２３に挿入された状態で、蓋本体３１を間にして当該蓋本体３１の両側の案内部２３を挟み込むように把持する把持部３２と、を備える。【選択図】図１
2020123688.tif 000002
【特許請求の範囲】
【請求項１】
側壁部と底部とを有し、且つ前記底部と対向する天井部が開放された樹脂成形品である筐体本体の前記側壁部に形成される切り欠き部と、
前記切り欠き部の少なくとも一部を塞ぐ蓋本体と、
前記筐体本体における切り欠き部の対向する二辺に沿って設けられ、前記蓋本体の端部がスライド挿入される案内部と、
前記蓋本体に設けられ、前記蓋本体の端部が前記案内部に挿入された状態で、前記蓋本体を間にして当該蓋本体の両側の案内部を挟み込むように把持する把持部と、
を備える、電子機器用筐体の形状矯正構造。
【請求項２】
前記把持部は、前記蓋本体における当該蓋本体の挿入方向と逆側の角部に夫々、設けられる第１の引っ掛け片と第２の引っ掛け片とを備え、
前記第１の引っ掛け片は、前記筐体本体の一方の案内部に引っ掛けられ、
前記第２の引っ掛け片は、前記筐体本体の他方の案内部に引っ掛けられる、請求項１に記載の電子機器用筐体の形状矯正構造。
【請求項３】
前記第１の引っ掛け片及び前記第２の引っ掛け片は、前記蓋本体の端部が前記案内部に挿入された状態で、前記蓋本体の端部を挿入するために前記案内部に形成された案内溝を覆う、請求項２に記載の電子機器用筐体の形状矯正構造。
【請求項４】
前記第１の引っ掛け片及び前記第２の引っ掛け片は、前記蓋本体の厚さ方向から見てＬ字形状であり、前記蓋本体の挿入方向から見てＬ字形状に形成された前記案内部における前記側壁部と直交する部分に引っ掛けられる、請求項２又は３に記載の電子機器用筐体の形状矯正構造。
【請求項５】
前記蓋本体の端部が前記案内部に挿入された状態で、前記蓋本体の挿入方向の側の端部と前記切り欠き部との間に開口部が形成される、請求項１乃至４のいずれか１項に記載の電子機器用筐体の形状矯正構造。
【請求項６】
前記蓋本体の端部が前記案内部に挿入された状態で、前記蓋本体の挿入方向の側の端部を支持する支持部を備える、請求項１乃至４のいずれか１項に記載の電子機器用筐体の形状矯正構造。
【請求項７】
請求項１乃至６のいずれか１項に記載の電子機器用筐体の形状矯正構造を備える、電子機器用筐体。
【請求項８】
請求項７に記載の電子機器用筐体を備える、電子機器。
【発明の詳細な説明】
【技術分野】
【０００１】
本開示は、電子機器用筐体の形状矯正構造、電子機器用筐体及び電子機器に関する。
【背景技術】
【０００２】
例えば、電子機器の一種である情報通信機器、伝送機器又はアダプタなどは、配線を介して他の電子機器と通信する構成とされている。そのため、一般的な電子機器用筐体は、特許文献１に開示されているように、配線を通すための切り欠き部が形成されている。このような電子機器用筐体は、高温に溶かした樹脂を金型に流し込み、当該樹脂を冷却させて金型から取り出して製造される樹脂成形品である。
【先行技術文献】
【特許文献】
【０００３】
【特許文献１】特開２０１３−７４６８１号公報
【発明の概要】
【発明が解決しようとする課題】
【０００４】
一般的な電子機器用筐体は、上述のように樹脂成形品であるため、成形過程で形状要因、材料要因などで成形後に変形し、切り欠き部が拡大するように電子機器用筐体が反り返る。そのため、電子機器用筐体の品質低下が発生していた。
【０００５】
本明細書に開示される実施形態が達成しようとする目的の１つは、当該課題の解決に寄与する電子機器用筐体の形状矯正機構、電子機器用筐体及び電子機器を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００６】
第１の態様の電子機器用筐体の形状矯正構造は、
側壁部と底部とを有し、且つ前記底部と対向する天井部が開放された樹脂成形品である筐体本体の前記側壁部に形成される切り欠き部と、
前記切り欠き部の少なくとも一部を塞ぐ蓋本体と、
前記筐体本体における切り欠き部の対向する二辺に沿って設けられ、前記蓋本体の端部がスライド挿入される案内部と、
前記蓋本体に設けられ、前記蓋本体の端部が前記案内部に挿入された状態で、前記蓋本体を間にして当該蓋本体の両側の案内部を挟み込むように把持する把持部と、
を備える。
【発明の効果】
【０００７】
上述の態様によれば、電子機器用筐体の品質を向上可能な、電子機器用筐体の形状矯正構造、電子機器用筐体及び電子機器を提供できる。
【図面の簡単な説明】
【０００８】
【図１】実施の形態の電子機器用筐体を模式的に示す分解図である。
【図２】実施の形態の電子機器用筐体の切り欠き部周辺を拡大して示す斜視図である。
【図３】実施の形態の電子機器用筐体の蓋体を模式的に示す斜視図である。
【図４】実施の形態の筐体本体の案内部に蓋体を挿入する様子を模式的に示す図である。
【図５】実施の形態の筐体本体の切り欠き部を蓋体で塞いだ状態を模式的に示す図である。
【図６】実施の形態の電子機器用筐体を適用した電子機器を模式的に示す分解図である。
【発明を実施するための形態】
【０００９】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１０】
先ず、本実施の形態の電子機器用筐体の構成を説明する。図１は、本実施の形態の電子機器用筐体を模式的に示す分解図である。図２は、本実施の形態の電子機器用筐体の切り欠き部周辺を拡大して示す斜視図である。図３は、本実施の形態の電子機器用筐体の蓋体を模式的に示す斜視図である。なお、以下の説明では、説明を明確にするために、三次元（ＸＹＺ）座標系を用いて説明する。
【００１１】
電子機器用筐体１は、詳細は後述するが、他の電子機器と配線を介して通信する情報通信機器、伝送機器又はアダプタなどの電子機器の筐体として好適である。電子機器用筐体１は、樹脂成形品であり、図１に示すように、筐体本体２及び蓋体３を備えている。
【００１２】
筐体本体２は、底部２１、側壁部２２及び案内部２３を備えており、天井部であるＺ軸＋側が開放されている。底部２１は、板状を基本形態としており、Ｚ軸方向から見て略矩形状である。側壁部２２は、底部２１の周縁部からＺ軸＋側に突出しており、板状を基本形態としている。
【００１３】
側壁部２２は、Ｘ軸＋側に配置される第１の部分２２ａ、Ｘ軸−側に配置される第２の部分２２ｂ、Ｙ軸＋側に配置される第３の部分２２ｃ及びＹ軸−側に配置される第４の部分２２ｄを備えている。これらの第１の部分２２ａと第３の部分２２ｃと第２の部分２２ｂと第４の部分２２ｄとは、連続している。
【００１４】
側壁部２２には、切り欠き部２４が形成されている。例えば、Ｘ軸方向で対向する第１の部分２２ａ及び第２の部分２２ｂに切り欠き部２４が形成されている。詳細には、第１の部分２２ａにおけるＹ軸方向の両側に切り欠き部２４が形成されている。また、第２の部分２２ｂにおけるＹ軸方向の両側に切り欠き部２４が形成されている。
【００１５】
これらの第１の部分２２ａの切り欠き部２４と第２の部分２２ｂの切り欠き部２４とは、Ｘ軸方向で対向するように配置されている。切り欠き部２４は、Ｘ軸方向から見て略矩形状であり、Ｚ軸＋側が開放されている。但し、切り欠き部２４の形状は、他の電子機器と通信するための配線を通すことができる形状であればよい。また、切り欠き部２４の配置や個数は、適宜、変更することができる。
【００１６】
なお、筐体本体２は、図１に示すように、電子機器用筐体１の内外に空気を通すためのスリット２５を側壁部２２に備えていたり、側壁部２２を補強するためのリブ２６を備えていたり、するとよい。
【００１７】
案内部２３は、図２に示すように、筐体本体２における切り欠き部２４の向かい合う二辺に沿って設けられている。案内部２３は、詳細は後述するが、蓋体３の幅方向（図３のＹ軸方向）の一方の端部がスライド挿入可能な構成とされている。例えば、案内部２３は、ＸＹ断面形状が略Ｌ字形状であり、第１のリブ部２３ａ及び第２のリブ部２３ｂを備えている。
【００１８】
第１のリブ部２３ａは、平坦な板状であり、当該第１のリブ部２３ａの長手方向がＺ軸方向に延在している。第１のリブ部２３ａのＸ軸方向の一方の端部は、筐体本体２の切り欠き部２４の一辺に沿うように、筐体本体２の側壁部２２の内側面に固定されている。
【００１９】
第１のリブ部２３ａは、筐体本体２の側壁部２２から筐体本体２の内方に向かって突出している。そして、第１のリブ部２３ａは、Ｚ軸方向から見て筐体本体２の側壁部２２と略直交するように配置されている。
【００２０】
第２のリブ部２３ｂは、平坦な板状であり、当該第２のリブ部２３ｂの長手方向がＺ軸方向に延在している。第２のリブ部２３ｂのＹ軸方向の一方の端部は、第１のリブ部２３ａのＸ軸方向の他方の端部に固定されている。そして、第２のリブ部２３ｂは、第１のリブ部２３ａのＸ軸方向の他方の端部から切り欠き部２４の側に向かって突出しており、第１のリブ部２３ａと略直交するように配置されている。
【００２１】
このような案内部２３と筐体本体２の側壁部２２とで形成される空間は、蓋体３の幅方向の一方の端部がスライド挿入される案内溝２３ｃとされている。案内溝２３ｃは、Ｚ軸方向から見て略矩形状であり、Ｚ軸方向に延在している。
【００２２】
なお、案内部２３の形状は、蓋体３の幅方向の両端部をスライド挿入可能な構成であれば、限定されない。また、案内部２３の配置は、筐体本体２の切り欠き部２４の配置に応じて、適宜、変更することができる。
【００２３】
蓋体３は、筐体本体２の切り欠き部２４を塞ぐ。蓋体３は、図３に示すように、蓋本体３１及び把持部３２を備えている。蓋本体３１は、板状を基本形態としており、略矩形状である。例えば、蓋本体３１は、ベース部３１ａ及び突出部３１ｂを備えている。
【００２４】
ここで、図３では、Ｘ軸方向が蓋体３の厚さ方向である。そして、図３では、Ｘ軸＋側が筐体本体２の案内部２３に蓋体３を挿入した際に電子機器用筐体１の表側に配置される蓋体３の表側であり、Ｘ軸−側が筐体本体２の案内部２３に蓋体３が挿入された際に電子機器用筐体１の裏側に配置される蓋体３の裏側である。
【００２５】
また、図３では、Ｙ軸方向が蓋体３の幅方向である。さらに、図３では、Ｚ軸方向が蓋体３の高さ方向である。そして、図３では、Ｚ軸−側が筐体本体２の案内部２３に蓋体３が挿入される側であり、Ｚ軸＋側が筐体本体２の案内部２３から蓋体３が抜去される側である。
【００２６】
ベース部３１ａは、略矩形状の板体である。そして、ベース部３１ａは、筐体本体２における切り欠き部２４の両側に配置された案内部２３の案内溝２３ｃに挿入可能な厚さを有する。また、ベース部３１ａは、ベース部３１ａのＹ軸方向の両端部を案内部２３の案内溝２３ｃに挿入可能であって、且つ切り欠き部２４の少なくとも一部を筐体本体２の内側から覆うことが可能を広さを有する。
【００２７】
突出部３１ｂは、ベース部３１ａのＸ軸＋側の面から突出している。突出部３１ｂは、筐体本体２の切り欠き部２４の少なくとも一部と対応する略矩形状であり、筐体本体２の側壁部２２の厚さと略等しい厚さを有する。ここで、突出部３１ｂは、ベース部３１ａのＺ軸＋側の端部に対して突出していてもよい。
【００２８】
このような蓋本体３１は、図３に示すように、電子機器用筐体１の内外に空気を通すためのスリット３１ｃを備えているとよい。但し、蓋本体３１の形状は、筐体本体２の切り欠き部２４の形状などに応じて、適宜、変更することができる。
【００２９】
把持部３２は、詳細は後述するが、蓋本体３１が筐体本体２の切り欠き部２４の少なくとも一部を塞ぐように案内部２３に挿入された状態で、蓋本体３１を間にして当該蓋本体３１の両側の案内部２３をＹ軸方向から挟み込むように把持（連結）する。
【００３０】
例えば、把持部３２は、第１の引っ掛け片３２ａ及び第２の引っ掛け片３２ｂを備えている。第１の引っ掛け片３２ａは、蓋本体３１が筐体本体２の案内部２３に挿入された際に、筐体本体２の切り欠き部２４の両側の案内部２３のうち一方の案内部２３に引っ掛けられる。詳細には、第１の引っ掛け片３２ａは、ＹＺ断面形状が略Ｌ字形状であり、第１のリブ部３２ｃ及び第２のリブ部３２ｄを備えている。
【００３１】
第１のリブ部３２ｃは、蓋本体３１のベース部３１ａのＹ軸＋側であって、且つＺ軸＋側の角部からＹ軸＋側に突出しており、第１のリブ部３２ｃのＺ軸＋側の面及びＺ軸−側の面が略平坦である。そして、第１のリブ部３２ｃの厚さは、案内部２３の案内溝２３ｃよりも広い。
【００３２】
ここで、第１のリブ部３２ｃの高さは、蓋本体３１の突出部３１ｂがベース部３１ａのＺ軸＋側の端部に対して突出する突出量と略等しいとよい。これにより、第１のリブ部３２ｃのＺ軸＋側の面と蓋本体３１の突出部３１ｂのＺ軸＋側の端部とは略等しい高さに配置される。
【００３３】
第２のリブ部３２ｄは、第１のリブ部３２ｃのＹ軸＋側の端部からＺ軸−側に突出しており、第２のリブ部３２ｄのＹ軸−側の面が略平坦である。つまり、第２のリブ部３２ｄのＺ軸＋側の端部は、第１のリブ部３２ｃのＹ軸＋側の端部に固定されている。そして、第２のリブ部３２ｄは、Ｘ軸方向から見て第１のリブ部３２ｃと略直交するように配置されている。
【００３４】
このとき、蓋本体３１のベース部３１ａのＹ軸＋側の面と第２のリブ部３２ｄのＹ軸−側の面との隙間は、案内部２３の第１のリブ部２３ａの厚さと略等しい。このような第１の引っ掛け片３２ａのＸ軸＋側の面は、蓋本体３１のベース部３１ａのＸ軸＋側の面と略面一に配置されている。
【００３５】
第２の引っ掛け片３２ｂは、蓋本体３１が筐体本体２の案内部２３に挿入された際に、筐体本体２の切り欠き部２４の両側の案内部２３のうち他方の案内部２３に引っ掛けられる。第２の引っ掛け片３２ｂは、Ｚ軸を中心軸として第１の引っ掛け片３２ａと鏡面対称の構成であるため、詳細な説明は省略するが、ＹＺ断面形状が略Ｌ字形状であり、第１のリブ部３２ｅ及び第２のリブ部３２ｆを備えている。
【００３６】
このとき、第１の引っ掛け片３２ａの第２のリブ部３２ｃのＹ軸−側の面と第２の引っ掛け片３２ｂの第２のリブ部３２ｆのＹ軸＋側の面との間隔は、詳細は後述するが、蓋本体３１のベース部３１ａのＹ軸方向の両側の端部が筐体本体２の案内部２３に挿入され、第１の引っ掛け片３２ａが一方の案内部２３に引っ掛けられ、第２の引っ掛け片３２ｂが他方の案内部２３に引っ掛けられた状態で、筐体本体２の切り欠き部２４を所望の幅寸法に保持することできるように設定されている。
【００３７】
ここで、第１の引っ掛け片３２ａの第１のリブ部３２ｃのＹ軸−側の端部と第２の引っ掛け片３２ｂの第１のリブ部３２ｅのＹ軸＋側の端部とは、連結部３２ｇによって連結されるとよい。連結部３２ｇは、略Ｙ軸方向に延在しており、連結部３２ｇのＺ軸＋側の面が略平坦である。
【００３８】
そして、連結部３２ｇの厚さは、第１の引っ掛け片３２ａの第１のリブ部３２ｃ及び第２の引っ掛け片３２ｂの第１のリブ部３２ｅの厚さと略等しい。また、連結部３２ｇの高さは、蓋本体３１の突出部３１ｂがベース部３１ａのＺ軸＋側の端部に対して突出する突出量と略等しい。
【００３９】
このような連結部３２ｇのＺ軸−側の端部は、蓋本体３１のベース部３１ａのＺ軸＋側の端部に固定され、且つ連結部３２ｇのＸ軸＋側の端部が蓋本体３１の突出部３１ｂのＸ軸−側の面に固定されている。これにより、蓋体３のＺ軸＋側の面を略平坦に形成することができる。
【００４０】
次に、本実施の形態の筐体本体２の案内部２３に蓋体３を挿入して、電子機器用筐体１の形状を矯正する流れを説明する。図４は、本実施の形態の筐体本体の案内部に蓋体を挿入する様子を模式的に示す図である。図５は、本実施の形態の筐体本体の切り欠き部を蓋体で塞いだ状態を模式的に示す図である。
【００４１】
ここで、以下の説明では、図４及び図５に示すように、筐体本体２のＸ軸−側であって、且つＹ軸−側の切り欠き部２４を塞ぐために、筐体本体２の案内部２３に蓋体３を挿入する流れを代表して説明する。
【００４２】
先ず、蓋体３のベース部３１ａのＹ軸−側の端部（即ち、ベース部３１ａにおける突出部３１ｂからＹ軸−側に突出している部分）を筐体本体２のＹ軸−側の案内部２３の案内溝２３ｃにスライド挿入する。
【００４３】
それと共に、蓋体３のベース部３１ａのＹ軸＋側の端部（即ち、ベース部３１ａにおける突出部３１ｂからＹ軸＋側に突出する部分）を筐体本体２のＹ軸＋側に配置された案内部２３の案内溝２３ｃにスライド挿入する。このとき、蓋体３の突出部３１ｂが筐体本体２の切り欠き部２４に挿入される。
【００４４】
次に、蓋体３をＺ軸−側に押し込み、蓋体３の第１の引っ掛け片３２ａを筐体本体２のＹ軸−側の案内部２３のＺ軸＋側の端部に引っ掛けると共に、蓋体３の第２の引っ掛け片３２ｂを筐体本体２のＹ軸＋側に配置された案内部２３のＺ軸＋側の端部に引っ掛ける。
【００４５】
詳細には、蓋体３のベース部３１ａと第１の引っ掛け片３２ａの第２のリブ部３２ｄとの隙間に、筐体本体２のＹ軸−側の案内部２３の第１のリブ部２３ａを挿入すると共に、蓋体３のベース部３１ａと第２の引っ掛け片３２ｂの第２のリブ部３２ｆとの隙間に、筐体本体２のＹ軸＋側の案内部２３の第１のリブ部２３ａを挿入する。
【００４６】
そして、蓋体３の第１の引っ掛け片３２ａの第１のリブ部３２ｃを筐体本体２のＹ軸−側の案内部２３のＺ軸＋側の端部に接触させると共に、蓋体３の第２の引っ掛け片３２ｂの第１のリブ部３２ｅを筐体本体２のＹ軸＋側の案内部２３のＺ軸＋側の端部に接触させる。
【００４７】
これにより、蓋体３の第１の引っ掛け片３２ａ及び第２の引っ掛け片３２ｂを夫々、筐体本体２の案内部２３に引っ掛けることができる。このとき、蓋体３のＺ軸＋側の端部は、筐体本体２における側壁部２２のＺ軸＋側の端部と略等しい高さに配置される。また、蓋体３の第１の引っ掛け片３２ａ及び第２の引っ掛け片３２ｂは夫々、筐体本体２の案内部２３の案内溝２３ｃを覆う。
【００４８】
ここで、筐体本体２は、成形過程で形状要因、材料要因などで成形後に変形し、切り欠き部が拡大するように筐体本体２が反り返る。本実施の形態では、上述のように蓋体３によって筐体本体２の切り欠き部２４の両側の案内部２３を連結するので、筐体本体２の反り返りを矯正することができる。そして、筐体本体２の変形が矯正された状態で電子機器用筐体１の形状を保持することができる。
【００４９】
そのため、本実施の形態の電子機器用筐体１では、筐体本体２の切り欠き部２４、及び蓋本体３１並びに把持部３２を備える蓋体３で電子機器用筐体１の形状矯正機構を構成する。
【００５０】
なお、筐体本体２は、図５に示すように、筐体本体２の案内部２３に蓋本体３１が挿入された状態で、蓋本体３１のＺ軸−側の端部を支持する支持部２７を備えているとよい。支持部２７は、例えば、ＸＺ断面形状がＬ字形状であり、切り欠き部２４の両側の案内部２３と連続し、且つ切り欠き部２４のＺ軸−側の辺に沿うように、側壁部２２の内側面に固定される。これにより、蓋体３を安定させることができる。
【００５１】
次に、本実施の形態の電子機器用筐体１の適用例を説明する。図６は、本実施の形態の電子機器用筐体を適用した電子機器を模式的に示す分解図である。電子機器用筐体１は、例えば、図６に示すように、所定の機能を実現するための基板４１が当該電子機器用筐体１の底部２１に固定された状態で、カバー４２によって覆われ、情報通信機器、伝送機器又はアダプタなどの電子機器４０を構成することができる。
【００５２】
このとき、他の電子機器と通信するための配線４３を通すために、例えば、図６に示すように、蓋体３のＺ軸−側の部分を削除するとよい。これにより、蓋本体３１が筐体本体２の案内部２３に挿入された状態で、蓋体３のＺ軸−側の端部と電子機器用筐体１の切り欠き部２４との間に開口部４５が形成される。そのため、蓋体３で電子機器用筐体１の切り欠き部２４の両側の案内部２３を連結しつつ、開口部４５に配線４３を通すことができる。
【００５３】
但し、電子機器用筐体１の一部の切り欠き部２４において、両側の案内部２３が蓋体３で連結されていれば、他の切り欠き部２４において蓋体３を省略して当該他の切り欠き部２４に配線４３を通してもよい。
【００５４】
このように本実施の形態の電子機器用筐体１の形状矯正機構、電子機器用筐体１及び電子機器４０は、蓋体３によって筐体本体２の切り欠き部２４の両側の案内部２３を連結することで、筐体本体２の反り返りを矯正することができる。そして、筐体本体２の反り返りが矯正された状態で電子機器用筐体１の形状を保持することができる。そのため、電子機器用筐体１の外観の品質を向上可能である。しかも、電子機器４０に電子機器用筐体１を適用する際に、カバー４２との嵌合不良などを抑制できる。
【００５５】
また、本実施の形態の電子機器用筐体１の形状矯正機構、電子機器用筐体１及び電子機器４０は、蓋体３の第１の引っ掛け片３２ａ及び第２の引っ掛け片３２ｂを夫々、筐体本体２の案内部２３に引っ掛ける簡単な構成で、筐体本体２の反り返りを矯正することができる。
【００５６】
さらに、本実施の形態では、蓋本体３１を筐体本体２の案内部２３に挿入した際に、第１の引っ掛け片３２ａの第１のリブ部３２ｃ及び第２の引っ掛け片３２ｂの第１のリブ部３２ｅで案内部２３の案内溝２３ｃを覆う。そのため、案内部２３の案内溝２３ｃへの異物の侵入を抑制することができる。
【００５７】
上述した実施の形態は本件発明者により得られた技術思想の適用に関する例に過ぎない。すなわち、当該技術思想は、上述した実施形態のみに限定されるものではなく、種々の変更が可能であることは勿論である。
【符号の説明】
【００５８】
１  電子機器用筐体
２  筐体本体、２１  底部、２２  側壁部、２３  案内部、２３ａ  第１のリブ部、２３ｂ  第２のリブ部、２３ｃ  案内溝、２４  切り欠き部
３  蓋体、３１  蓋本体、３２  把持部、３２ａ  第１の引っ掛け片、３２ｂ  第２の引っ掛け片
３２ｇ  連結部
４０  電子機器
４３  配線
４５  開口部
【図１】
2020123688.tif 000003
【図２】
2020123688.tif 000004
【図３】
2020123688.tif 000005
【図４】
2020123688.tif 000006
【図５】
2020123688.tif 000007
【図６】
2020123688.tif 000008
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
側壁部と底部とを有し、且つ前記底部と対向する天井部が開放された樹脂成形品である筐体本体の前記側壁部に形成される切り欠き部と、
前記切り欠き部の少なくとも一部を塞ぐ蓋本体と、
前記筐体本体における切り欠き部の対向する二辺に沿って設けられ、前記蓋本体の端部がスライド挿入される案内部と、
前記蓋本体に設けられ、前記蓋本体の端部が前記案内部に挿入された状態で、前記蓋本体を間にして当該蓋本体の両側の案内部を挟み込むように把持する把持部と、
を備え、
前記把持部は、前記蓋本体における当該蓋本体の挿入方向と逆側の角部に夫々、設けられる第１の引っ掛け片と第２の引っ掛け片とを有し、
前記第１の引っ掛け片は、前記筐体本体の一方の案内部に引っ掛けられ、
前記第２の引っ掛け片は、前記筐体本体の他方の案内部に引っ掛けられ、
前記第１の引っ掛け片及び前記第２の引っ掛け片は、前記蓋本体の端部が前記案内部に挿入された状態で、前記蓋本体の端部を挿入するために前記案内部に形成された案内溝を覆う、電子機器用筐体の形状矯正構造。
【請求項２】
前記第１の引っ掛け片及び前記第２の引っ掛け片は、前記蓋本体の厚さ方向から見てＬ字形状であり、前記蓋本体の挿入方向から見てＬ字形状に形成された前記案内部における前記側壁部と直交する部分に引っ掛けられる、請求項１に記載の電子機器用筐体の形状矯正構造。
【請求項３】
前記蓋本体の端部が前記案内部に挿入された状態で、前記蓋本体の挿入方向の側の端部と前記切り欠き部との間に開口部が形成される、請求項１又は２に記載の電子機器用筐体の形状矯正構造。
【請求項４】
前記蓋本体の端部が前記案内部に挿入された状態で、前記蓋本体の挿入方向の側の端部を支持する支持部を備える、請求項１又は２に記載の電子機器用筐体の形状矯正構造。
【請求項５】
請求項１乃至４のいずれか１項に記載の電子機器用筐体の形状矯正構造を備える、電子機器用筐体。
【請求項６】
請求項５に記載の電子機器用筐体を備える、電子機器。